(57)【要約】【課題】本考案は、搬送トロリーがレールハンガー部分を通過する際に生じる干渉の問題を解消すると共に、清掃作業の安全性の向上、並びに作業者の労力軽減を図ることができる走行レール清掃用ゴンドラを提供する。【解決手段】走行レール２に一対の懸吊棹７を介して吊り下げられると共に走行レール２上を移動可能な一対の搬送トロリー１を備えたゴンドラ本体５と、ゴンドラ本体５に固定されて作業者が着座した状態で清掃作業が可能にされた座部５ａと、各々の搬送トロリー１の設けたクランプ式のロック機構９とから構成する。【選択図】図１
0003199389.tif 000002
【実用新案登録請求の範囲】
【請求項１】
走行レールに一対の懸吊棹を介して吊り下げられると共に当該走行レール上を移動可能な一対の搬送トロリーを備えたゴンドラ本体と、このゴンドラ本体に固定されて作業者が着座した状態で清掃作業が可能にされた座部と、前記搬送トロリーにロック機構を設けたことを特徴とする走行レール清掃用ゴンドラ。
【請求項２】
ロック機構が、走行レールに対してロック及びロック解除可能に構成されていることを特徴とする請求項１記載の走行レール清掃用ゴンドラ。
【請求項３】
ロック機構をクランプ式とし、走行レールに着脱自在に嵌合する外れ止めプレートと、この外れ止めプレートを装着方向に常時付勢するバネ体と、このバネ体の付勢力に抗して前記外れ止めプレートが押下された状態でネジで締め付けてロック状態に保持するレバーとから構成したことを特徴とする請求項１又は請求項２記載の走行レール清掃用ゴンドラ。
【考案の詳細な説明】
【技術分野】
【０００１】
本考案は牛・豚などのと体、枝肉を懸吊するレールや、レールを固定する懸架部を掃除するために使用される清掃用ゴンドラに関する。
【背景技術】
【０００２】
例えば、食肉加工処理場・その他畜肉を懸架して搬送する工場、倉庫等において、食用枝肉（以下、ワークという）を懸吊した状態で移動させる搬送トロリーが使用されている。この搬送トロリーは、搬送フックにワークを懸吊すると共に、走行レール上を
回転ローラーで移動させ、所定の作業位置まで搬送して適宜処理加工するために使用されるものである。
【０００３】
このように、走行レール上でローラーを移動させるとき、レールに付着しているオイルや塵埃等の異物（以下、単に異物という）が落下する。すなわち、加工中のワークに異物が落下して付着してしまいワークを汚染するという問題があった。そこで、この走行用レールを清掃する必要がある。通常、走行用レールは床面から３〜４ｍの極めて高位置に設けられているので多くの場合、梯子や脚立を使用して、移動しながら人手による拭き取り作業で行なっており、作業者は危険な上に長時間の重労働を強いられるという問題があった。そこで、例えば、特許文献１に記載された装置のように、自走する走行車に洗浄剤噴出手段とブラッシング手段を取り付け、レール上面の塵埃や錆をブラシで取り除く自動洗浄装置が提案されている。
【０００４】
本考案者もまた、特許文献２をもってリモートコントロール型のブラシで掃除する装置を提案している。この装置は、搬送トロリーの走行レールを洗浄する自動洗浄装置であって、前記走行レール表面に洗浄剤を塗布する洗浄剤散布機構と、前記走行レール表面をブラッシングするブラシング機構と、前記走行用レール上を駆動走行させるモーターとを備え、前記複数のトリローを複数のリンクで連結し、走行レール上を正逆移動可能に構成し、且つ任意のトロリーには左右回転自在に設けた一対のブラシが、レールを挟持して設置され、他のトロリーには、左右回転自在に設けたブロックに走行レールの上面に対して、円盤型のブラシが当該ブラシの回転軸と直角になるように設置されると共に、レールを挟持して拭き取り具を設け、正逆それぞれの進行方向の背面側で牽引可能に構成したものである。
【先行技術文献】
【特許文献】
【０００５】
【特許文献１】特開２００４−２６９１５２号公報
【特許文献２】実用新案登録第３１５５４４５号公報
【考案の概要】
【考案が解決しようとする課題】
【０００６】
ところが、この自動洗浄タイプは、例えば走行レールの上面が汚れている場合など十分な清掃効果が得られないことがあり、実用的には作業者がゴンドラに乗って直接拭き掃除するのが好適な場合がある。しかし、上述したように、走行レールは３〜４ｍの高い場所にあるので、作業には落下の危険が伴う、したがって、絶対に落下しない安全対策が必須である。また、作業者の労力軽減も考慮することが肝要である。
【０００７】
また、通常、搬送トロリーの外れ止めプレートは、走行レール下端すれすれの高さに位置し、搬送トロリー用ローラーが走行レールから脱輪しないように設定されている。しかし、走行レールを天井等から懸垂支持しているレールハンガー部分を通過するときは、搬送トロリーの外れ止めプレートがこのレールハンガーに干渉するという課題がある。本考案は、搬送トロリーがレールハンガー部分を通過する際に生じる干渉の問題を解消すると共に、清掃作業の安全性の向上、並びに作業者の労力軽減を図ることができる走行レール清掃用ゴンドラを提供することを目的とするものである。
【課題を解決するための手段】
【０００８】
上記目的を達成する本考案は、走行レールに金属製の一対の懸吊棹を介して吊り下げられると共に当該走行レール上を移動可能な一対の搬送トロリーを備えたゴンドラ本体と、このゴンドラ本体に固定されて作業者が着座した状態で清掃作業が可能にされた座部と、前記搬送トロリーにロック機構を設けたことを第１の特徴とする。また、ロック機構が、走行レールに対してロック及びロック解除可能に構成されていることを第２の特徴とする。さらに、ロック機構をクランプ式とし、走行レールに着脱自在に嵌合する外れ止めプレートと、この外れ止めプレートを装着方向に常時付勢するバネ体と、このバネ体の付勢力に抗して前記外れ止めプレートが押下された状態でネジで締め付けてロック状態に保持するレバーとから構成したことを第３の特徴とする。
【考案の効果】
【０００９】
本考案によれば、下記の優れた効果がある。
（１）搬送用レールを手作業により清掃して、清潔な状態に保ち、搬送用レールからの異物の落下によるワークや床面の汚染を防止することができる。また、ゴンドラをチェア式にしたことで、人的労力を軽減することができる。
（２）搬送トロリーから吊り下げたゴンドラのトロリー部分にロック機構による安全装置を設け、一対のトロリーのうち、一方は常にロックされた状態にする構造としたので、落下のおそれが低減される。
【図面の簡単な説明】
【００１０】
【図１】本考案に係る走行レール清掃用ゴンドラの一実施例を示す斜視図である。
【図２】清掃作業状態を模式的に示す正面図である。
【考案を実施するための形態】
【００１１】
以下、本考案の実施の形態を図面に示す実施例に基づいて説明する。
【実施例】
【００１２】
図１に示すように、本考案に係る走行レール清掃用ゴンドラは、走行レール２に一対の懸吊棹７を介して吊り下げられると共に走行レール２上を移動可能な一対の搬送トロリー１を備えたゴンドラ本体５と、ゴンドラ本体５に固定されて作業者が着座した状態で清掃作業が可能にされた座部５ａと、各々の搬送トロリー１にクランプ式のロック機構９を設けて構成されている。
【００１３】
すなわち、ロック又はロック解除に際し、ネジを緩めたり閉めたりするクランプ式のロック機構９が、走行レール２に対してロック及びロック解除可能に構成とされており、このクランプ式のロック機構９は、走行レール２に着脱自在に嵌合する外れ止めプレート６と、この外れ止めプレート６を装着方向に常時付勢するバネ体８と、バネ体８の付勢力に抗して外れ止めプレート６を人手で押下し、この外れ止めプレート６が押下された状態でネジで締め付けてロック状態に保持するレバー１０とから構成した
【００１４】
図２に示すように、清掃作業者Ｈはゴンドラ本体５の座部５ａに着座した状態で、布巾等の拭き取り具を使用して走行レール２の汚れを人手にて清掃する。そして、所定箇所の清掃が終わるとゴンドラ本体５を未清掃箇所まで移動させるのであるが、走行レール２を天井等から懸垂支持しているレールハンガー３部分を通過する際には、一方のクランプ９によるロックを解除し、レバー１０を使用してロック解除し人力にてバネ８を圧縮させて外れ止めプレートがレールハンガー３と干渉しない位置まで押し下げて、進行方向側の一方搬送トロリー１を通過させる。このとき、他方の搬送トロリー１はロック状態が維持されており、一対の搬送トロリー１の双方は決して同時にロック状態が解除されることがないように保たれている。このような手順で走行レール２に沿って順次移動しながら清掃していく。尚、図中１１は、作業者Ｍ単独の落下を防止する命綱である。
【００１５】
尚、本考案の要旨は、搬送トロリーから吊り下げたゴンドラのトロリー部分にクランプ式のロック機構による安全装置を設け、一対のトロリーのうち、一方は常にロックされた状態にし、搬送トロリーの双方は決して同時にロック状態が解除されることがないように保持することによりゴンドラ落下のおそれを低減することにあり、ロック機構の具体的な構成、その他ゴンドラの詳細構成は本実施例に限定されるものではない。
【符号の説明】
【００１６】
１    搬送トロリー
２    走行レール
３    レールハンガー
４    走行ローラー
４ａ  ローラー溝
５    チェア式ゴンドラ
５ａ  座部
６    外れ止めプレート
７    金属製の懸吊棹
８    バネ
９    クランプ式ロック機構
１０  レバー
１１  命綱
１２  布巾（拭き取り具）
Ｍ   作業者
【図１】
0003199389.tif 000003
【図２】
0003199389.tif 000004